【事件の表示】
　特願２０００−２３１９６３「転倒し難い本体から成るパチンコ機」拒絶査定不服審判事件〔平成１４年　１月２２日出願公開、特開２００２−　１８０６３〕について、次のとおり審決する。
【結　論】
　本件審判の請求は、成り立たない。
【理　由】
第１．手続の経緯　
　本願は、平成１２年７月４日に出願した特願２０００−２０２５７２号の一部を同年７月３１日に新たな出願としたものであり、平成１６年４月５日付の拒絶理由通知に対して同年６月１４日付で手続補正がなされ、これに対し、同年１０月２８日付で拒絶査定がなされ、これに対し、同年１２月２日に拒絶査定不服の審判請求がなされるとともに同年１２月２８日付で手続補正がなされたものである。
　
　
第２．平成１６年１２月２８日付の手続補正についての補正却下の決定　
〔補正却下の決定の結論〕　
　平成１６年１２月２８日付の手続補正（以下、「本件補正」という。）を却下する。　
　
［理由］　
【１】本件補正の内容と補正の適否　
　本件補正により、特許請求の範囲の請求項１は、平成１６年６月１４日付手続補正により補正された特許請求の範囲の請求項１に記載された
「【請求項１】　機枠を取り付け可能なパチンコ機本体の外側に、互いに離れている面一の複数の平坦部が設けられるとともに、これら平坦部を水平面に接するように置いた場合に、面積が最大となるように各平坦部の外側を結んで形成される輪郭内に本体の重心の鉛直方向の投影点が位置することで、パチンコ機本体のみが直立するようにしたことを特徴とする転倒し難い本体から成るパチンコ機。」から、　
「【請求項１】　機枠を取り付け可能
であって、タンク、球通路、払い出し装置、払い出し制御装置又は主制御装置が組み込まれたパチンコ機本体
、　更に、パチンコ機本体からタンク、球通路、払い出し装置、払い出し制御装置又は主制御装置を取り外すことにより重心が変動しても、直立を保つ
へと補正された。　
　
　本件補正により特許請求の範囲の請求項１にした補正は、パチンコ機本体を、「タンク、球通路、払い出し装置、払い出し制御装置又は主制御装置が組み込まれた」ものに限定するとともに、パチンコ機の本体が直立することを、「パチンコ機本体からタンク、球通路、払い出し装置、払い出し制御装置又は主制御装置を取り外すことにより重心が変動しても、直立を保つ」ことに限定するものであり、いずれの限定も、発明特定事項の直列的付加に当たるから、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当するから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否　
［１］引用例に記載の発明　
　原査定の拒絶の理由に引用された、平成６年５月１７日に頒布された刊行物である特開平６−１３４１１９号公報（以下、「引用例」という。）には、以下の事項が記載されている。
（ア）「【０００４】【発明が解決しようとする課題】しかしながら、前述した遊技機については、・・・前枠全体は、起立保持できない。・・・前枠全体を床面上に起立させるべく、前枠の下端縁と、球受け皿や操作ハンドルの下部とを床面上に当接させても、前枠全体がかなりの前傾姿勢となってしまい、安定した起立状態に載置保持させることはできなかった。・・・。
　【０００６】【発明の目的】本発明は、前述した課題を好適に解決するべく提案されたものであって、前枠に搭載される遊技用構成部材の一つである下の球受け皿を、前枠の起立補助用の好適な受け部材ともなる外郭形状に成形すると共に、前枠の前面下部に対して好適な位置関係で設置し、前枠の下端縁と球受け皿の下面前縁とが互いに高低差の小さい平行条件で平坦な床面上に良好に当接し得るようにして、前枠全体がやや前傾姿勢で安定良く起立保持できるようにしたパチンコ遊技機を提供することを目的とする。」（第２頁第１欄４７行〜同頁第２欄３５行）
（イ）「【００１０】本実施例のパチンコ機はその基本的構成の概要として、・・・機体の外郭をなす縦長方形の外枠Ａの開口前面側に、各種の遊技用構成部材をセットする縦長方形の前枠Ｂが連結支持手段および施錠手段を利用して開閉および着脱が可能に組付けられている。」（第３頁第３欄１９〜２４行）
（ウ）「【００２４】・・・前記下の球受け皿Ｆは、前枠Ｂの枠体７の設置盤部９前面に合わせて設置されている。この球受け皿Ｆは、図示のように上面および下面が水平状の平坦であり、・・・下面(底面)を前枠Ｂの下端縁より少し高くすると共に、上面を窓枠口８の下縁と同等な位置に合わせて設置されている。従ってこの球受け皿Ｆでは、図４に示すように、下面前縁Ｐ２が前枠Ｂの下端縁Ｐ１に対して上方(Ｙ＝１０〜１５mm位)、前方(Ｘ＝９５〜１００mm位)の点に位置している。これにより同図のように下面前縁Ｐ２と下端縁Ｐ１とが床面ＧＬに対する当接縁として、前枠Ｂ側の全体(各種の遊技用構成部材を搭載した状態)が、適宜前傾姿勢で安定に起立保持できる。
　【００２５】なおこの球受け皿Ｆでは、正面奥向きに開口成形された横長の口５１の内部に、図１４に示すように、賞球用の受け皿部５２および機構セット盤Ｈの賞球排出路に連絡容器５４を介して連通される給出口５３が成形されている他に、・・・。
　【００２６】【実施例の作用】前述のように構成された本実施例のパチンコ機では、外枠Ａに対する前枠Ｂに、前述したガラス窓Ｄ、上下の球受け皿Ｅ,Ｆ、打球発射装置Ｇ、遊技盤Ｃ、機構セット盤Ｈおよび各種の付属部品等の遊技用構成部材がセットされて１台単位に構成される。そしてゲームホール内の設置枠台に所定の傾き起立姿勢で設置された外枠Ａに、前述の前枠Ｂ全体が組付けられることにより、在来のパチンコ機と同様な縦型弾球遊技機として遊技に供し得る。」（第４頁第６欄２５行〜第５頁第７欄１０行）
（エ）「【００３５】一方本実施例のパチンコ機では、・・・下の球受け皿Ｆを利用して前枠Ｂを起立保持できる。すなわち前述したような外郭形状に成形された下の球受け皿Ｆが前枠Ｂの前面下部の所定位置に設置されて、その下面前縁Ｐ2が下端縁Ｐ1に対して所定位置Ｘ,Ｙに設定されていることにより、工場やゲームホール等における水平な床面ＧＬにおいて、外枠Ａに組付け前の前枠Ｂ全体を単独で置いた場合、下面前縁Ｐ2と下端縁Ｐ1とが直接の載置支持縁となって前枠Ｂ全体が前傾姿勢(約８５°位)で安定に起立保持され、特に前方への転倒が好適に制止される(図４参照)。従ってこのもとで前枠Ｂに搭載された各種の遊技用構成部材を点検したり、機構セット盤Ｈを修理、交換することができる。またゲームホール内でのパチンコ機の設置において、外枠Ａを位置決め固定している間に前枠Ｂ全体を所要場所の床面上に安定よく起立保持させておくことができる。」（第５頁第８欄４６行〜第６頁第９欄１２行）
（オ）「【００３７】【発明の効果】以上説明した如く、本発明に係るパチンコ遊技機によれば、前枠に配設した下の球受け皿を利用して、該前枠を起立保持することができる。すなわち、外郭形状に成形された下の球受け皿の下面前縁は、前枠の下端縁に対して僅か上方で、かつ前方に所定距離離間した点に位置している。これにより、工場やゲームホール等における水平な床面において、前枠全体を単独で置いた場合、下面前縁と下端縁とが直接の載置支持縁となって前枠全体が前傾姿勢で安定に起立保持され、特に前方への転倒が好適に制止される。従ってこのもとで前枠に搭載された各種の遊技用構成部材を点検したり、機構セット盤を修理、交換することができる。またゲームホール内でのパチンコ遊技機の設置において、外枠を位置決め固定している間に、前枠全体を所要場所の床面上に安定よく起立保持させておくことができる。」（第６頁第１０欄３４〜４９行）
　
　上記（ア）〜（オ）の記載及び図面によれば、引用例には、以下の発明（以下、「引用発明」という。）が記載されている。
「外枠Ａに着脱可能に組付けられる前枠Ｂに、賞球排出路を備えた機構セット盤Ｈ等の遊技用構成部材が搭載され、前記前枠Ｂの下端縁Ｐ１と、前記前枠Ｂに設置される球受け皿Ｆの、前記下端縁Ｐ１に対して所定位置に設定される下面前縁Ｐ２とが、床面ＧＬに対する当接縁となって、前記機構セット盤Ｈ等の遊技用構成部材を搭載した前記前枠Ｂが約８５°位の前傾姿勢で安定に起立保持された状態のもとで、前記機構セット盤Ｈを交換することができるようにした前記前枠Ｂから構成されるパチンコ機。」　
　
　
［２］本願補正発明について
（１）本願補正発明と引用発明との対比　
（ア）本願補正発明と引用発明とを対比すると、引用発明の「外枠Ａ」、「外枠Ａに着脱可能に組付けられる」は、本願補正発明の「機枠」、「機枠を取り付け可能」に、それぞれ相当する。　
（イ）引用発明は、「前枠Ｂに、賞球排出路を備えた機構セット盤Ｈ等の遊技用構成部材が搭載され」るものであるが、この機構セット盤Ｈ等の遊技用構成部材が搭載された「前枠Ｂ」全体は、本願補正発明の「パチンコ機本体」に対応し、また、引用発明の「賞球排出路」は、本願補正発明「球通路」に相当する。そして、これらを前提とすると、引用発明における、前記の「前枠Ｂに、賞球排出路を備えた機構セット盤Ｈ等の遊戯用構成部材がセットされ」ることは、本願補正発明において、「パチンコ機本体に球通路が組み込まれ」ることに対応するといえる。
（ウ）引用発明は、「（前記）前枠Ｂの下端縁Ｐ１と、（前記）前枠Ｂに設置される球受け皿Ｆの、前記下端縁Ｐ１に対して所定位置に設定される下面前縁Ｐ２とが、床面ＧＬに対する当接縁となって、（前記）機構セット盤Ｈ等の遊技用構成部材を搭載した前記前枠Ｂが約８５°位の前傾姿勢で安定に起立保持され」るものであるが、前記（イ）に示したように、遊技用構成部材がセットされた「前枠Ｂ」全体は、本願補正発明の「パチンコ機本体」に対応し、また、下端縁Ｐ１と下面前縁Ｐ２とは、いずれも前枠Ｂ又は前枠Ｂに設置される部材の縁である「外側」に位置し、所定位置に設定されることにより「互いに離れて」おり、床面ＧＬに対して当接するのであるから「面一」であるとともに、「水平面に接するように置」かれることにより前枠Ｂが「起立保持され」るものであるといえるから、本願補正発明が、「パチンコ機本体の外側に、互いに離れている面一の複数の平坦部が設けられるとともに、これら平坦部を水平面に接するように置いた場合に、面積が最大となるように各平坦部の外側を結んで形成される輪郭内に本体の重心の鉛直方向の投影点が位置することで、パチンコ機本体のみが直立するようにし」たこととは、「パチンコ機本体の外側に、互いに離れている面一の複数の部位が設けられるとともに、これらの部位を水平面に接するように置いた場合に、パチンコ機本体のみが起立するようにし」たものである点で共通する。
（エ）引用発明は、「（前記）機構セット盤Ｈ等の遊技用構成部材を搭載した（前記）前枠Ｂが約８５°位の前傾姿勢で安定に起立保持された状態のもとで、（前記）機構セット盤Ｈを交換することができるようにした」ものである。
　ここで、機構セット盤Ｈを交換する際に、機構セット盤Ｈの取り外し／取り付けによる重心の変動があることは当業者にとって自明であるから、引用発明は、「機構セット盤Ｈ等の遊技用構成部材を搭載した前枠Ｂが、機構セット盤Ｈを取り外すことにより重心が変動しても、起立状態を保持される」ものであるといえる。
　また、機構セット盤Ｈ等の遊技用構成部材を搭載した「前枠Ｂ」全体が、本願補正発明の「パチンコ機本体」に対応すること、及び、引用発明の「機構セット盤Ｈ」が賞球排出路（球通路）を備えたものであることは、前記（イ）に示したとおりである。
　そうすると、引用発明は、本願補正発明が「パチンコ機本体からタンク、球通路、払い出し装置、払い出し制御装置又は主制御装置を取り外すことにより重心が変動しても、直立を保つ」ことと、「パチンコ機本体から球通路を取り外すことにより重心が変動しても、起立状態を保つ」点で共通するものである。
　さらに、前記の如く、引用発明と本願補正発明は、「パチンコ機本体から球通路を取り外すことにより重心が変動しても、起立状態を保つ」点で共通するものであるのだから、引用発明も本願補正発明と同様に、「パチンコ機本体」が、「転倒しがたい」ものであるといえる。
　
　そうすると、本願補正発明と引用発明とは、
「機枠を取り付け可能であって、球通路が組み込まれたパチンコ機本体の外側に、互いに離れている面一の複数の部位が設けられるとともに、これら部位を水平面に接するように置いた場合に、パチンコ機本体のみが起立するようにし、
　更に、パチンコ機本体から、球通路を取り外すことにより重心が変動しても、起立状態を保つことを特徴とする転倒し難い本体から成るパチンコ機。」の点で一致し、以下の点で相違する。
　
　相違点Ａ．本願補正発明において、パチンコ機本体は、「タンク、球通路、払い出し装置、払い出し制御装置又は主制御装置」を組み込むものであるが、引用発明においては、パチンコ機本体は、球通路を組み込む以外の構成が明らかでない点。
　相違点Ｂ．パチンコ機本体を水平面に置く場合に水平面に接する部位が、本願補正発明は、「平坦部」であるのに対し、引用発明は、「当接縁」である点。
　相違点Ｃ．本願補正発明は、パチンコ機本体が起立した際に、「面積が最大となるように各平坦部の外側を結んで形成される輪郭内に本体の重心の鉛直方向の投影点が位置する」ものであるのに対し、引用発明には、前記構成が明示されていない点。
　相違点Ｄ．パチンコ機本体を水平面に接するように置いた場合の起立姿勢（該パチンコ機本体からの部品の取り外し時の起立姿勢も含む）が、本願補正発明では「直立」であるのに対し、引用発明では「約８５°位の前傾姿勢」とするように構成している点。
　相違点Ｅ．本願補正発明は、パチンコ機本体から「タンク、球通路、払い出し装置、払い出し制御装置又は主制御装置」を取り外しても直立を保つものであるのに対し、引用発明は、パチンコ機本体から、球通路を取り外すことにより重心が変動しても、起立状態を保つものである点。
　
（２）相違点Ａについての判断　
　上記第２．【２】［１］（ウ）に摘示した引用例の記載によれば、「前枠Ｂに、前述したガラス窓Ｄ、上下の球受け皿Ｅ,Ｆ、打球発射装置Ｇ、遊技盤Ｃ、機構セット盤Ｈおよび各種の付属部品等の遊技用構成部材がセットされて１台単位に構成され」、「外枠Ａに、前述の前枠Ｂ全体が組付けられることにより、在来のパチンコ機と同様な縦型弾球遊技機として遊技に供し得る」ものであるのだから、引用発明の「パチンコ機本体」は、弾球遊技機として遊技に供し得るための各種遊技用構成部材を組み込んだものであるが、「タンク」、「払い出し装置」、「払い出し制御装置」又は「主制御装置」は、前記の如くのパチンコ機として遊技に供し得るための各種遊技用構成部材として一般的であるばかりか（例えば、特開平１１−１９２９８号公報を参照されたい。）、必須のものであるから、引用例には直接の記載がないものの、引用発明の「パチンコ機本体」にこれらが組み込まれていることは、当業者にとって自明である。
　
（３）相違点Ｂについての判断
　引用発明における「当接縁」は、水平面と、ある程度の面的な接触が生じているということができ、あるいは、上記第２．【２】［１］（ア）に摘示した記載によれば、引用例には「前枠の起立補助用の好適な受け部材ともなる外郭形状に成形」し、「平坦な床面上に良好に当接し得るようにして、前枠全体が・・・安定良く起立保持できるように」することが説明されていて、このような受け部材の接地面を平坦部として構成することは、一般的に常套手段に過ぎないから、起立した際の安定性、部材強度、必要性等を考慮して、これを「平坦部」といえる程度の面積とすることは、当業者が適宜決定する設計的事項であるといえる。
　
（４）相違点Ｃについての判断
　本願補正発明において、「面積が最大となるように各平坦部の外側を結んで形成される輪郭内に本体の重心の鉛直方向の投影点が位置する」としたことは、パチンコ機本体が、その姿勢において、各平坦部上に安定に起立した状態にあることを、力学的関係で説明したものに過ぎない。
　翻って、引用発明において、パチンコ機本体は、当接縁上に安定に起立保持されたものであるから、前記本願補正発明に倣って、起立保持状態を力学的関係で説明すると、その起立姿勢において、「面積が最大となるように各当接縁の外側を結んで形成される輪郭内に本体の重心の鉛直方向の投影点が位置する」ものであるということができる。
　そして、引用発明における「当接縁」を、本願補正発明の如くの「平坦部」とすることが、当業者による設計的事項であることは、上記（３）に説示したとおりであるから、引用発明に設計上の変更（「当接縁」を「平坦部」に変更）を加えることにより、相違点Ｃに係る本願補正発明の構成の如くすることは、当業者であれば容易に想到し得る事項である。
　
（５）相違点Ｄについての判断
　上記第２．【２】［１］（ア）に摘示した引用例の記載によれば、前枠全体（パチンコ機本体）を「安定した起立状態」に保持させようとすることが、当業者にとって従来からの技術課題であり、引用発明が、この課題を解決するためのものであることは明らかであるが、ここで、前枠全体（パチンコ機本体）の起立姿勢（直立や前傾、前傾する場合にはその前傾度合い）をどうするかについては、起立時の安定性や作業性、起立状態でのスペース占有状態や保管効率等を考慮して、当業者が適宜決定する設計的事項に過ぎない（例えば、前傾させたときの各接地部の外側を結んで形成される輪郭が、直立させたときの輪郭よりも大きくなるような部材形状である場合には、前傾させた方が起立時の安定性が増すことになるし、またその逆となる場合もあり得るように、当業者は種々の要素を考慮して最適化をはかる）。
　そして、同じく、上記第２．【２】［１］（ア）に摘示したように、引用例には、「前枠に搭載される遊技用構成部材の一つである下の球受け皿を、前枠の起立補助用の好適な受け部材ともなる外郭形状に成形すると共に、前枠の前面下部に対して好適な位置関係で設置し、・・・安定良く起立保持できるようにした」と記載されており、前段で説明したように、前枠全体（パチンコ機本体）の起立姿勢をどうするかは、当業者が適宜決定する設計的事項に過ぎないのであるから、「前枠に搭載される遊技用構成部材の一つを、前枠の起立補助用の好適な受け部材ともなる外郭形状に成形すると共に、前枠の前面下部に対して好適な位置関係で設置」して、前枠全体（パチンコ機本体」を「直立」姿勢とすることが、当業者にとって格別の創意を要するものであるということはできない。
　
（６）相違点Ｅについての判断
　引用発明の「パチンコ機本体」に、球通路以外にも、「タンク」、「払い出し装置」、「払い出し制御装置」又は「主制御装置」が組み込まれていることが当業者にとって自明であることは、上記（１）に説示したとおりであり、前記球通路と同様に、「パチンコ機本体」に組み込まれるこれら部材・装置を、前記球通路と同様に、取り外しても起立状態を保つようにすることは、当業者であれば容易に想到し得る事項である。
　また、この起立状態として、特に、「直立」を保つものとすることに関しては、前記（５）に説示したとおりである。
　
（７）本願補正発明の作用効果の検討　
　本願補正発明の作用効果は、引用発明に基づいて当業者が当然予測できるものである。　
　　
（８）むすび　
　よって、本件補正後の請求項１に記載された本願補正発明は、引用発明（第１引用例に記載の発明）に基づいて当業者が容易に発明をすることができたものであり、特許法第２９条第２項の規定により、その特許出願の際に独立して特許を受けることができない。　
　
　
［３］補正の却下の決定のむすび
　以上のとおりであるから、本件補正は、平成１８年改正前特許法第１７条の２第５項において準用する同法第１２６条第５項の規定に違反するので、特許法第１５９条第１項の規定において読み替えて準用する同法第５３条第１項の規定により却下すべきものである。　
　
　
第３．本願発明について　　
【１】本願発明　
　本願の請求項１に係る発明は、平成１６年１２月２８日付の手続補正が上記のとおり却下されているので、同年６月１４日付の手続補正により補正された明細書及び図面の記載からみて、その特許請求の範囲の請求項１に記載された事項により特定される以下のとおりのものである（以下、「本願発明」という。）。　
「【請求項１】　機枠を取り付け可能なパチンコ機本体の外側に、互いに離れている面一の複数の平坦部が設けられるとともに、これら平坦部を水平面に接するように置いた場合に、面積が最大となるように各平坦部の外側を結んで形成される輪郭内に本体の重心の鉛直方向の投影点が位置することで、パチンコ機本体のみが直立するようにしたことを特徴とする転倒し難い本体から成るパチンコ機。」 
　
　
【２】特許法第２９条２項の適用
［１］引用例に記載の発明　
　原査定の拒絶の理由で引用された引用例（特開平６−１３４１１９号公報）に記載の発明は、上記第２．【２】［１］に記載したとおりである。
　
　
［２］対比・判断
　本願発明は、本願補正発明において、パチンコ機本体が、「タンク、球通路、払い出し装置、払い出し制御装置又は主制御装置が組み込まれた」ものであり、さらに、本体が、「パチンコ機本体からタンク、球通路、払い出し装置、払い出し制御装置又は主制御装置を取り外すことにより重心が変動しても、直立を保つ」ものであるとした特定事項を省いたものである。
　そうすると、本願発明の構成要素を全て含むものに相当する本願補正発明が、上記第２．【２】［２］に説示したように、引用例に記載の発明（上記引用発明）に基づいて、当業者が容易に発明をすることができたものであるから、本願発明は、同様の理由により、引用例に記載の発明（上記引用発明）に基づいて、当業者が容易に発明をすることができたものである。
　
　
［３］むすび　
　以上のとおり、本願発明は、引用例に記載の発明に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。